(57)【要約】【課題】安価で入手可能であり加工が容易な部材である丸太などの木材を使用し、農業用ビニルハウスに取り付ける太陽光発電体の大きさ、重量、数量を制限することなく、太陽光発電体の荷重に耐えられる太陽光発電体を設置し大量の電力を発電・供給できる、木柱で骨組された太陽光発電体を有する農業用ビニルハウスユニット及びそれを用いた農業用ビニルハウスを提供すること。【解決手段】農地上に間隔を有して垂直に立設された２本の木柱３対と、各木柱２、３に支持された天板８と、天板８の上面に設置された太陽光発電体９と、各木柱２、３によって形成された外形骨格の側面部を被覆する被覆フィルム７とを有する農業用ビニルハウスユニット。【選択図】図１
0003175085.tif 000002
【実用新案登録請求の範囲】
【請求項１】
農地上に間隔を有して垂直に立設された２本の木柱３対と、前記各木柱に支持された天板と、前記天板の上面に設置された太陽光発電体と、前記各木柱によって形成された外形骨格の側面部を被覆する被覆フィルムとを有する農業用ビニルハウスユニット。
【請求項２】
前期天板の一部が透光性の部材で形成されていることを特徴とする請求項１に記載の農業用ビニルハウスユニット。
【請求項３】
前期側面部に太陽光発電体を設置したことを特徴とする請求項１に記載の農業用ビニルハウスユニット。
【請求項４】
前記２本の木柱は長さの異なる長丸太及び短丸太であって、
前記各長丸太及び短丸太は底部に台座が設置された所定の深さの穴に立設され、
前記短丸太は前記長丸太よりも赤道側に立設され、
前記各長丸太及び短丸太はそれぞれ支持部材によって繋げられている
ことを特徴とする請求項１に記載の農業用ビニルハウスユニット。
【請求項５】
前記天板の断面は山形状若しくは波形状であることを特徴とする請求項１に記載の農業用ビニルハウスユニット。
【請求項６】
前記被覆フィルムは巻き取り器具に取り付けられており、前記巻き取り器具は前記長丸太又は前記短丸太の上部に固定されていることを特徴とする請求項１に記載の農業用ビニルハウスユニット。
【請求項７】
前記太陽光発電体は、換気装置と電気的に接続されていることを特徴とする請求項１に記載の農業用ビニルハウスユニット。
【請求項８】
前記太陽光発電体は、潅水装置と電気的に接続されていることを特徴とする請求項４に記載の農業用ビニルハウスユニット。
【請求項９】
前記潅水装置はホースを有し、前記ホースは前記長丸太側の前記天板端部へと導通されており、前記短丸太側の前記天板端部には樋が設けられていることを特徴とする請求項８に記載の農業用ビニルハウスユニット。
【請求項１０】
前記１〜９に記載のいずれかの農業用ビニルハウスユニットを複数個前記各長丸太の立設方向及び前記各短丸太の立設方向と平行な方向に連接することによって構成したことを特徴とする農業用ビニルハウス。
【考案の詳細な説明】
【技術分野】
【０００１】
本考案は、農業用ビニルハウスに関し、更に詳しくは、木柱で骨組みされ、太陽光発電体を有した農業用ビニルハウスユニット及びそれを用いた農業用ビニルハウスに関する。
【背景技術】
【０００２】
昨今、農業において、農業用ビニルハウスを使用した野菜などの促成栽培が盛んに行われている。農業用ビニルハウスによる促成栽培では、換気装置の駆動などに電力供給源が必要であり、近年この電力供給源として太陽光発電体が用いられ始めている。
【０００３】
電力供給源として太陽光発電体を使用することで電力を自給し、促成栽培で育成された野菜にかかる原価を下げることができるとともに、化石燃料を用いずに電力を供給できるので、環境汚染の心配も低減される。
更に、数多くの太陽光発電体を使用することで、大量の電力を電力会社に販売することができる。
【０００４】
しかしながら、太陽光発電体の重量は重いためにハウス被覆フィルム上に設置することができない。そのため、下記特許文献１に示されるような太陽光発電体を取り付けたビニルハウスの発明が公開されている。
【０００５】
下記特許文献１のビニルハウスにはハウス被覆フィルム上ではなく、ビニルハウスの骨格を形成している支柱上に太陽光発電体の取付代を固着することで太陽光発電体を取り付けている。このような構成とすることによって、ビニルハウスのハウス被覆フィルムに荷重がかからず、また、ハウス被覆フィルムの取替え時などに邪魔にならない。
【先行技術文献】
【特許文献】
【０００６】
【特許文献１】特開２００１−２９１８８８号公報
【考案の概要】
【考案が解決しようとする課題】
【０００７】
しかしながら、上記特許文献１に記載されているように太陽光発電体をビニルハウスへと取り付ける場合、ビニルハウスの支柱上にしか取り付けることができず、太陽光発電対の大きさ若しくはビニルハウスの支柱の間隔を限定する必要がある。また、そもそもビニルハウスは上面へ物を設置するように設計されておらず、支柱上に取り付けたとしても、ビニルハウスの太陽光発電体の荷重に耐えられず、ビニルハウスが崩壊してしまうおそれがある。更に大量の太陽光発電体も設置することができない。
【０００８】
本考案は、上述のような従来技術の問題点を解決すべく完成されたものであって、安価で入手可能であり加工が容易な部材である丸太などの木材を使用し、農業用ビニルハウスに取り付ける太陽光発電体の大きさ、重量、数量を制限することなく、太陽光発電体の荷重に耐えられる太陽光発電体を設置し大量の電力を発電・供給できる、木柱で骨組された太陽光発電体を有する農業用ビニルハウスユニット及びそれを用いた農業用ビニルハウスを提供することを目的とする。
【課題を解決するための手段】
【０００９】
上記課題を解決するために、本考案の第１の態様の農業用ビニルハウスユニットは、農地上に間隔を有して垂直に立設された２本の木柱３対と、前記各木柱に支持された天板と、前記天板の上面に設置された太陽光発電体と、前記各木柱によって形成された外形骨格の側面部を被覆する被覆フィルムとを有することを特徴とする。
【００１０】
本考案の第１の態様の農業用ビニルハウスユニットによれば、取り付ける太陽光発電体の大きさ、重量・数量を制限することなく、太陽光発電体の荷重に耐えられる太陽光発電体を有するビニルハウスユニットを提供することができる。
【００１１】
また、本考案の第２の態様の農業用ビニルハウスユニットは、第１の態様の農業用ビニルハウスユニットにおいて、前期天板の一部が透光性の部材で形成されていることを特徴とする。
【００１２】
本考案の第２の態様の農業用ビニルハウスユニットによれば、透光性の部材で形成された箇所から太陽光を採光することができ、農業用ビニルハウスユニット内で栽培する野菜などの育成効率をあげることができる。
【００１３】
また、本考案の第３の態様の農業用ビニルハウスユニットは、第１の態様の農業用ビニルハウスユニットにおいて、前期側面部に太陽光発電体を設置したことを特徴とする。
【００１４】
本考案の第３の態様の農業用ビニルハウスユニットによれば、側面部にも太陽個発電体を取り付けることで、太陽光発電体の設置範囲を拡げることができ、電力供給量を多くすることができる。
【００１５】
また、本考案の第４の態様の農業用ビニルハウスユニットは、第１の態様の農業用ビニルハウスユニットにおいて前記２本の木柱は長さの異なる長丸太及び短丸太であって、前記各長丸太及び短丸太は底部に台座が設置された所定の深さの穴に立設され、前記短丸太は前記長丸太よりも赤道側に立設され、前記各長丸太及び短丸太はそれぞれ支持部材によって繋げられていることを特徴とする。
【００１６】
本考案の第４の態様の農業用ビニルハウスユニットによれば、天板に傾斜がつき、太陽光発電体の単位面積あたりにおける太陽光照射量が増加するため、太陽光発電体の発電効率をあげることができる。
【００１７】
また、本考案の第５の態様の農業用ビニルハウスユニットは、第１の態様の農業用ビニルハウスユニットにおいて、前記天板の断面は山形状若しくは波形状であることを特徴とする。
【００１８】
本考案の第５の態様の農業用ビニルハウスユニットによれば、天板の断面を山形状若しくは波形状とすることで、天板の荷重に対する強度を容易にあげることができ、更に多くの太陽光発電体を天板上に設置することができる。
【００１９】
また、本考案の第６の態様の農業用ビニルハウスユニットは、第１の態様の農業用ビニルハウスユニットにおいて、前記被覆フィルムは巻き取り器具に取り付けられており、前記巻き取り器具は前記長丸太または前記短丸太の上部に固定されていることを特徴とする。
【００２０】
本考案の第６の態様の農業用ビニルハウスユニットによれば、風雨の強い時期に巻き取り器具によって被覆フィルムを巻き取ることで、ビニルハウスが風雨から受ける影響を小さくすることができ、ビニルハウスの崩壊を防止することができる。
【００２１】
また、本考案の第７の態様の農業用ビニルハウスユニットは、第１の態様の農業用ビニルハウスユニットにおいて、前記太陽光発電体は、換気装置と電気的に接続されていることを特徴とする。
【００２２】
本考案の第７の態様の農業用ビニルハウスユニットによれば、太陽光発電体によって発生した電力を、農業用ビニルハウスユニット内の気温を一定に保つための、換気装置の駆動電力として使用することができる。
【００２３】
また、本考案の第８の態様の農業用ビニルハウスユニットは、第４の態様の農業用ビニルハウスユニットにおいて、前記太陽光発電体は、潅水装置と電気的に接続されていることを特徴とする。
【００２４】
本考案の第８の農業用ビニルハウスユニットによれば、太陽光発電体によって発生した電力を、農業用ビニルハウスユニット内での潅水を行う潅水装置の駆動電力として使用することができる。
【００２５】
また、本考案の第９の態様の農業用ビニルハウスユニットによれば、第８の態様の農業用ビニルハウスユニットにおいて、前記潅水装置はホースを有し、前記ホースは前記長丸太側の前記天板端部へと導通されており、前記短丸太側の前記天板端部には樋が設けられていることを特徴とする。
【００２６】
本考案の第９の農業用ビニルハウスユニットによれば、太陽光発電体を冷却することができ、太陽光発電体の故障を防止できる。また、冷却に必要な電力は太陽光発電体から供給することができる。
【００２７】
また、本考案の農業用ビニルハウスは、上記いずれかのビニルハウスユニットを複数個前記各長丸太の立設方向及び前記各短丸太の立設方向と平行な方向に連接することによって構成したことを特徴とする。
【００２８】
本考案の農業用ビニルハウスによれば、所定の範囲の農地全体に農業用ビニルハウスを建築でき、大量の電力を発電・供給することができる。
【図面の簡単な説明】
【００２９】
【図１】本考案の実施形態１にかかる農業用ビニルハウスユニットの斜視図である。
【図２】本考案の実施形態１にかかる農業用ビニルハウスユニットの分解図である。
【図３】本考案の実施形態１にかかる農業用ビニルハウスユニットの側面図である。
【図４】本考案の実施形態１にかかる農業用ビニルハウスユニットの変形例における側面図である。
【図５】本考案の実施形態１にかかる農業用ビニルハウスユニットを複数個平行に連接したビニルハウスの斜視図である。
【図６】本考案の実施形態２にかかる農業用ビニルハウスユニットの斜視図である。
【図７】本考案の実施形態２にかかる農業用ビニルハウスユニットの側面図である。
【図８】本考案の実施形態２にかかる農業用ビニルハウスユニットの変形例における斜視図である。
【図９】本考案の実施形態３にかかる農業用ビニルハウスユニットの側面図である。
【考案を実施するための形態】
【００３０】
以下、図面を用いて本考案の各実施形態を説明する。ただし、以下に示す実施形態は本考案の技術思想を具体化するための農業用ビニルハウスユニット及び農業用ビニルハウスを例示するものであって、本考案をここに記載の農業用ビニルハウスユニット及び農業用ビニルハウスに特定することを意図するものではなく、本考案は実用新案登録請求の範囲に含まれるその他の実施形態のものにも均しく適用し得るものである。
【００３１】
[実施形態１]
最初に、図１〜図５を参照して実施形態１にかかる農業用ビニルハウスユニットの構成を説明する。なお、図１は本考案の実施形態１にかかる農業用ビニルハウスユニットの斜視図、図２は本考案の実施形態１にかかる農業用ビニルハウスユニットの分解図、図３は本考案の実施形態１にかかる農業用ビニルハウスユニットの側面図、図４は本考案の実施形態１にかかる農業用ビニルハウスユニットの変形例における側面図、図５は本考案の実施形態１にかかる農業用ビニルハウスユニットを複数個平行に連接した農業用ビニルハウスの斜視図である。
【００３２】
本実施形態の農業用ビニルハウスユニット１Ａは、緯度とほぼ平行となるように直線上に５ｍの間隔を空けて１ｍの深さに掘られた穴に立てられた３本の短丸太２と、短丸太２の立てられた直線に平行であり、短丸太２から７ｍの距離をおいて掘られた穴に立てられた３本の長丸太３と、それぞれの穴に設置された丸太の沈み込みを防止する台座４と、各短丸太２及び各長丸太３を繋ぐ支持棒５と、各丸太によって外形骨格が形成された立体の側面部に取り付けられたハウス被覆フィルム７と、ハウス被覆フィルム７の上部に取り付けられ、ハウス被覆フィルムを巻き取ることができるフィルム巻き取り器具１０と、外形骨格の天井に取り付けられた天板８と、天板８の上面部に取り付けられた太陽光発電体９とで構成されている。
【００３３】
各丸太を固定するために掘られた穴は径が各丸太の径と同程度の大きさの円形状であり、穴の下部には台座４が設置されている。台座４は農業用ビニルハウスユニット１Ａの重量に耐えられ、各短丸太２及び長丸太３が沈み込まない程度の強度を持ったものであれば充分である。例えばコンクリート製の石材、鉄などである。台座４の上には各丸太が立設されており、短丸太２の長さは５ｍ、長丸太３の長さは６ｍである。各丸太の長さはこれに限定されるものではないが、短丸太２の長さが短すぎると農業用ビニルハウスユニット１Ａ内での作業が困難となり、また、長丸太３と短丸太２との長さに差異がありすぎると天井に取り付けられた天板８の角度が急勾配となって太陽光発電体の発電効率が落ちるため、短丸太２の長さは２〜６ｍ、長丸太３は短丸太２よりも１〜２ｍ長いものを用いるとよい。
本実施形態の農業用ビニルハウスユニット１Ａは、丸太６本で農業用ビニルハウスユニットの外形骨格を形成することにより、丸太４本で形成した農業用ビニルハウスユニットと比較して横からの力に強く、倒れにくくなっている。
【００３４】
各丸太は支持棒５Ａ〜５Ｃによって接続されている。同じ長さの丸太同士は、丸太によって形成された外形骨格の側面に設けられた支持棒５Ａ、違う長さの丸太同士は外形骨格の上面に設けられた支持棒５Ｂ及び５Ｃによって接続されている。
【００３５】
短丸太２及び長丸太３には杉丸太を用いているが、農業用ビニルハウスユニット１Ａの上面に取り付ける天板８及び太陽光発電体９の合計重量に耐えられる木材で形成された柱であればよく、ヒノキなど他の木材を用いてもよいし、また、加工済みの角柱でもよい。また、支持棒５Ａ〜５Ｃには木材、鉄骨、亜鉛パイプなどが用いられる。本実施形態では支持棒５Ａ及び５Ｂには亜鉛パイプを用い、支持棒５Ｃには丸太と同様の杉を用いている。
【００３６】
農業用ビニルハウスユニット１Ａの底面部において、各丸太の間を補強具６で連結することで、農業用ビニルハウスユニット１Ａの強度をさらにあげてもよい。補強具６で連結することによって横からの力にさらに強くなり、倒れにくくなる。補強具６には丸太や鉄骨など、一定の強度があればどのような部材を用いてもよい。本実施形態では丸太と同じ杉を用いている。
【００３７】
丸太によって形成された農業用ビニルハウスユニット１Ａの外形骨格は直方体の上面から三角柱を切り取った台形柱形状である。農業用ビニルハウスユニット１Ａの側面部には全面に亘ってハウス被覆フィルム７が取り付けられている。ハウス被覆フィルム７の上部にはフィルム巻き取り器具１０が取り付けられており、フィルム巻き取り器具１０は農業用ビニルハウスユニット１Ａの丸太の最上部に固定されている。台風が来たときなど、風雨が強くなり農業用ビニルハウスが崩壊する危険性がある場合、フィルム巻き取り器具１０によってハウス被覆フィルム７を巻き取ることで風雨によるビニルハウスの崩壊を抑止することができる。
【００３８】
ハウス被覆フィルム７にはポリ塩化ビニルフィルムやポリオレフィンフィルム、フッ素樹脂フィルムなどが用いられる。
【００３９】
農業用ビニルハウスユニット１Ａは短丸太２が長丸太３よりも赤道方向に近くなるように立設されており、上面に取り付けられた天板８上に設置された太陽光発電体９に太陽光が照射されやすいように建築されている。太陽光発電体９については従来よく使用されている太陽光発電体を使用しており、説明を省略する。天板８は図３に示されているように断面が山形状若しくは波形状となっており、荷重に強い設計となっている。天板８を形成する部材はアルミニウムや鉄などの金属、アルミニウム、亜鉛を用いた合金など、一定の強度を持つ部材であればよい。天板８には一定の間隔で孔が設けられており、天板８に太陽光発電体９を設置させる際に、この孔に留め具を通して太陽光発電体９を天板８に固着させている。また、太陽光発電体９の保持しているフレーム（図示してない）を介して固着してもよい。
【００４０】
また、図４に示すように天板８の一部又は全面に透光性の部材を用いると、農業用ビニルハウスユニット１Ａ内の採光量を増加させられる。天板８の一部に透光性の天板８Ａを用いた場合、天板８の全面に太陽光発電体９を設置するのではなく、透光性の天板８Ａ上には太陽光発電体９を設置しないことで、より多くの採光量を農業用ビニルハウスユニット１Ａ内に確保することができる。
【００４１】
太陽光発電体９は農業用ビニルハウスユニット１Ａの近傍に設置された換気装置１１及び潅水装置１２と電気的に接続されており、太陽光発電体９によって発生した電力は換気装置１１及び潅水装置１２のバッテリーへと貯蓄され、農業用ビニルハウスユニット１Ａ内の気温を一定に保つために換気装置１１を駆動する際や農業用ビニルハウスユニット１Ａ内で栽培している野菜への水分補給のために潅水装置１２を駆動する際の電力として使用される。
更に、残りの大量の電力は、変換機等（図示せず）を介して電力会社等へ供給・販売される。
【００４２】
農業用ビニルハウスユニット１Ａは６本の丸太で１ユニットを構成するものであり、図５に示されるようにこの農業用ビニルハウスユニット１Ａを連接して設置することによって、所定の範囲の農地に本考案の農業用ビニルハウス１を建築することができる。
【００４３】
[実施形態２]
次に、図６〜図８を参照して実施形態２にかかる農業用ビニルハウスユニットの構成を説明する。なお、図６は本考案の実施形態２にかかる農業用ビニルハウスユニットの斜視図、図７は本考案の実施形態２にかかる農業用ビニルハウスユニットの側面図、図８は本考案の実施形態２にかかる農業用ビニルハウスユニットの変形例における斜視図である。また、実施形態１と構成が変わらない箇所には同じ番号を付し、説明を省略する。
【００４４】
実施形態１では上面のみに太陽光発電体９を取り付けていたが、太陽光が照射される面である赤道側の側面部にも太陽光発電体９を取り付けてもよい。側面部にも太陽光発電体９を取り付けることで、太陽光発電体９の設置範囲を広く取ることができ、電力供給量をあげることができる。
【００４５】
側面部に太陽光発電体９を取り付けると採光量が減少してしまうため、図８に示すように天板８の一部に透光性の部材を用い、農業用ビニルハウスユニット１Ｂの採光量を調節してもよい。透光性の天板８Ａの上面には太陽光発電体９を設置しないほうが採光量を確保することができる。
【００４６】
[実施形態３]
次に、図９を参照して実施形態３にかかる農業用ビニルハウスユニットの構成を説明する。なお、図９は本考案の実施形態３にかかる農業用ビニルハウスユニットの側面図である。また、実施形態１と構成が変わらない箇所には同じ番号を付し、説明を省略する。
【００４７】
太陽光発電体９は熱に弱く、夏の暑い時期に故障することがある。そのため本実施形態では、太陽光発電体９の温度が上昇しないように潅水装置１２に設けられたホース１２Ａを長丸太３側の天板上面へと取り付け、ホース１２Ａからの冷却用の水を天板８上へと流すことで太陽光発電体９を冷却する。又は、水を直接太陽光発電体９へ流すことで冷却することもできる。冷却用の水は短丸太２側の天板８に取り付けられた樋１３へ流れ込み、樋１３と潅水装置１２とを繋ぐホース１２Ｂを通り再度潅水装置１２へと運ばれていく。冷却水は再度冷却して再利用してもよいし、潅水装置１２内のタンク（図示せず）へと貯水し、温水として使用することもできる。
【符号の説明】
【００４８】
１  農業用ビニルハウス
１Ａ、１Ｂ、１Ｃ  農業用ビニルハウスユニット
２  短丸太
３  長丸太
４  台座
５Ａ、５Ｂ、５Ｃ  支持棒
６  補強具
７  ハウス被覆フィルム
８、８Ａ  天板
９  太陽光発電体
１０  フィルム巻き取り器具
１１  換気装置
１２  潅水装置
１２Ａ、１２Ｂ  ホース
１３  樋
【図１】
0003175085.tif 000003
【図２】
0003175085.tif 000004
【図３】
0003175085.tif 000005
【図４】
0003175085.tif 000006
【図５】
0003175085.tif 000007
【図６】
0003175085.tif 000008
【図７】
0003175085.tif 000009
【図８】
0003175085.tif 000010
【図９】
0003175085.tif 000011